(57)【特許請求の範囲】
【請求項１】
相対位置が変動可能な２つの出入り口を対向して配置し、
両出入り口の間を通路で連絡し、
各出入り口の両側には各々固定壁を突設し、
一方の出入り口の固定壁には、防火区画壁をヒンジで取り付け、
この防火区画壁の先端は、他方の出入り口の固定壁の側面にスライド自在に接触させ、
この防火区画壁に平行して、固定壁を挟む状態で化粧壁を取り付け、
化粧壁と防火区画壁とは、ばね機構によって一体化して構成した、
可動式連絡通路。
【請求項２】
相対位置が変動可能な２つの出入り口を対向して配置し、
両出入り口の間を通路で連絡し、
一方の出入り口の床面に取り付けた渡り板を、
他方の出入り口の床面に載置して構成した、
請求項１記載の可動式連絡通路。
【請求項３】
相対位置が変動可能な２つの出入り口を対向して配置し、
両出入り口の間を通路で連絡し、
一方の出入り口の床面に取り付けた渡り板を、
他方の出入り口の床面に載置し、
この渡り板の上面に、防火区画壁と化粧壁の下端をスライド自在に搭載して構成した、
請求項１記載の可動式連絡通路。
【請求項４】
相対位置が変動可能な２つの出入り口を対向して配置し、
両出入り口の間を通路で連絡し、
通路の天井部には天井板を設けて構成した、
請求項１記載の可動式連絡通路。
【発明の詳細な説明】
【０００１】
【発明の属する技術分野】
本発明は、可動式連絡通路に関するものである。
【０００２】
【従来の技術】
図４に示すような建物ＤとエレベータＥを連絡する通路、あるいは接近した２つの出入り口を連絡する通路Ｃが地震などの影響を受けた場合に、一方または双方の出入り口が前後、左右へ傾き、あるいはねじれるなどして位置ずれを起こす場合がある。すると両出入り口を連結する通路Ｃの壁面が変形して破損したり、あるいは防火構造が維持できない状態となる可能性がある。
【０００３】
【本発明の目的】
本発明は上記したような従来の問題を解決するためになされたもので、対向する２つの出入り口が位置ずれを生じた場合でも、連結する通路は安全に確保することができる、可動式連絡通路を提供することを目的とする。
【０００４】
【課題を解決するための手段】
上記のような目的を達成するために、本発明の可動式連絡通路は、相対位置が変動可能な２つの出入り口を対向して配置し、両出入り口の間を通路で連絡し、各出入り口の両側には各々固定壁を突設し、一方の出入り口の固定壁には、防火区画壁をヒンジで取り付け、この防火区画壁の先端は、他方の出入り口の固定壁の側面にスライド自在に接触させ、この防火区画壁に平行して、固定壁を挟む状態で化粧壁を取り付け、化粧壁と防火区画壁とは、ばね機構によって一体化して構成した、可動式連絡通路を特徴としたものである。
【０００５】
【本発明の実施の態様】
以下図面を参照しながら本発明の可動式連絡通路の実施例を図面を参照して説明する。
【０００６】
＜イ＞出入り口。
図１においてＡとＢとは相対位置が変動可能な２つの出入り口であり、対向して配置してあり、両出入り口の間を通路で連絡してある。位置の変動によって両出入り口の距離が離れる場合があるから、一方の出入り口の床面にヒンジ構造などで取り付けた渡り板１を、他方の出入り口の床面まで掛けわたして滑動可能に構成しておくと安全である。
【０００７】
＜ロ＞固定壁と固定天井。
各出入り口には各々固定壁２と固定天井を枠状に突設する。これは各出入り口の両側の壁面に固定した壁体と、その上部を連結する天井板であり、鋼板のような不燃材料で構成してある。固定壁２と固定天井は、一方の出入り口の両側から、対向する出入り口に向けて門型に突設してある。なお図１は説明の便宜のために固定天井の天井板を取り外した状態を示したものである。
【０００８】
＜ハ＞防火区画壁。
固定壁２と平行に、かつ通路に対して固定壁２よりも外側に、防火区画壁３を取り付ける。
ただし、防火区画壁３の一端は、一方の出入り口の固定壁２にヒンジ３１構造で取り付ける。このヒンジ３１は例えば図に示すように鉛直軸を中心に開閉可能な構造である。
したがって防火区画壁３は、固定壁２を基端としてその自由端を左右方向に開閉自在である。
一方、この防火区画壁３の先端は、他方の出入り口の固定壁２の外側の面にスライド機構３２を介して自在に接触させる。
防火区画壁３と固定壁２とは、面と面とで接触しているから、特別な構造を採用しなくともスライドは自在である。
防火区画壁３の下端は床面に、上端は天井面に接触する状態で配置する。なお、一方の出入り口の床面に取り付けた渡り板１を他方の出入り口の床面に載置した構成を採用する場合には、この渡り板１の上面に、防火区画壁３と化粧壁の下端をスライド自在に搭載しておく。
【０００９】
＜ニ＞化粧壁。
この防火区画壁３に平行して、固定壁２を挟む状態で化粧壁４を取り付ける。
防火区画壁３が、固定壁２の外側に位置しているから、この化粧壁４は固定壁２の内側、すなわち通路側に位置しており、通行人の視線から防火区画壁３などの機構を遮断して美観を維持するために用いる。
そして、化粧壁４と防火区画壁３とは、ばね機構３３によって一体化する。そのために例えば、化粧壁４と防火区画壁３とをボルトで貫通する。
ただしボルトを強固に締結するのではなく、多少の余裕を残し、その余裕部分にバネを配置しておく。
するとばね３３の弾性によって化粧壁４は防火区画壁３の側に引き寄せられるが、ばね３３の弾性以上の大きさの外力が作用した場合には自由な姿勢で防火区画壁３から離れることができる。
【００１０】
【作動】次に本発明の可動式連絡通路の作動について説明する。
【００１１】
＜イ＞両出入り口の距離が変化した場合。
地震時などで両出入り口Ａ，Ｂが離れたり、接近する場合である。
その際には防火区画壁３の一端はヒンジ３１で固定壁２に固定されているから、ヒンジ３１側と一体となって前進し、あるいは後退する。
区画壁３の他端は、他方の固定壁２にスライド機構３２によってスライド自在に接しているから、そのまま移動することが可能である。
したがって区画壁３と固定壁２の重なっている距離までは、区画壁３を、前進、後退させることが可能である。
化粧壁４は、区画壁３と一体であるから、同一の距離だけ前進、後退する。
【００１２】
＜ロ＞横移動した場合。
出入り口Ａが，Ｂに対して横方向に移動すると、防火区画壁３のヒンジ３１が作用して、区画壁３はその先端を開閉する状態で移動する。
化粧壁４は、区画壁３とばね３３を介して取り付けてあるから、化粧壁４と区画壁３は、ばね３３の弾性によって固定壁２を両側からはさむような状態で変形、移動する。
そのために固定壁２がどのような位置に変位しても、化粧壁４、区画壁３は自由に変形して連絡通路Ｃの側面の保護を維持することが可能である。
【００１３】
＜ハ＞ねじれた場合。
両出入り口Ａ，Ｂの距離が、不均一に離れた場合であっても、防火区画壁３はヒンジ３１とスライド機構３２によって上記の場合と同様に変形を吸収することができる。
【００１４】
【本発明の効果】
本発明の可動式連絡通路は以上説明したようになるから、対向する２つの出入り口が位置ずれを生じた場合でも、両出入り口を連結する通路の壁面が変形して破損したりせず、あるいは防火構造を維持して、連結する通路の安全を確保することができるものである。
【図面の簡単な説明】
【図１】本発明の可動式連絡通路の実施例において天井板を固定壁から取り外した状態の説明図
【図２】可動式連絡通路の変形状態の説明図
【図３】可動式連絡通路の変形状態の説明図
【図４】可動式連絡通路の外観の一例の説明図
【図１】
0003789180.tif 000002
【図２】
0003789180.tif 000003
【図３】
0003789180.tif 000004
【図４】
0003789180.tif 000005